(57)【要約】ユーザが対象物の上にハンドヘルド点字変換装置を置くと、ＣＣＤカメラが周辺の所定範囲を撮影し、撮影画像に基づいて文字の有無を検知し、文字が有る場合、文字認識を行い、認識した文字を点字に変換して、表示する。ハンドヘルド点字変換装置の移動方向と撮影画像に存在する文字列との位置関係が適正でない場合、エラーが表示される。
2010029980.tif 000002
【特許請求の範囲】
【請求項１】
ユーザが片手で保持した状態で移動させることが可能なハンドヘルド点字変換装置であって、
前記装置を保持している手の少なくとも一本の指が接触可能な位置に配置され、点字を表示する点字表示部と、
前記装置周辺の所定範囲を撮影する撮影手段と、
前記撮影手段の撮影画像に存在する文字の有無を検知し、存在する文字を認識する文字認識手段と、
前記文字認識手段が認識した文字の一部又は全部を点字に変換する点字変換手段と、
前記点字変換手段が変換した点字を前記点字表示部に表示させる表示制御手段と、を備えることを特徴とするハンドヘルド点字変換装置。
【請求項２】
前記ハンドヘルド点字変換装置は、印刷物の表面を移動可能であり、
前記撮影手段は、前記印刷物の表面の所定範囲を撮影し、
前記文字認識手段は、撮影された印刷物の表面に印刷されている文字の存在の有無を検知し、存在する文字を認識することを特徴とする請求の範囲第１項に記載のハンドヘルド点字変換装置。
【請求項３】
前記撮影手段は、前記点字表示部の直下周辺に配置されていることを特徴とする請求の範囲第１項に記載のハンドヘルド点字変換装置。
【請求項４】
前記点字表示部は、各々が１つの点字に対応する複数の単位点字表示部を有し、
前記単位点字表示部は、点字を構成する凸形状の位置に配置された複数の可動式の第１部材を有し、
前記表示制御手段は、前記第１部材を昇降させて凸形状を形成したりしなかったりすることにより点字を表示することを特徴する請求の範囲第１項に記載のハンドヘルド点字変換装置。
【請求項５】
前記点字表示部は、点字を構成しない複数の可動式の第２部材を有し、
前記表示制御手段は、前記第２部材の一部又は全部を動作させることにより、前記撮影画像に存在する文字又は文字列に対する前記ハンドヘルド点字変換装置の位置関係の適否を表示することを特徴とする請求の範囲第１項に記載のハンドヘルド点字変換装置。
【請求項６】
前記表示制御手段は、前記複数の第２部材の一部を動作させることにより、前記ハンドヘルド点字変換装置の位置が前記撮影画像に存在する文字又は文字列に対していずれの方向にずれているかを示すことを特徴とする請求の範囲第５項に記載のハンドヘルド点字変換装置。
【請求項７】
前記表示制御手段は、前記複数の第２部材の一部又は全部を動作させることにより、前記撮影画像に存在する文字の有無を示すことを特徴とする請求の範囲第５項に記載のハンドヘルド点字変換装置。
【請求項８】
前記表示制御手段は、前記複数の第２部材の一部又は全部を動作させることにより、前記撮影画像に存在する文字列が横書きであるか縦書きであるかを示すことを特徴とする請求の範囲第５項に記載のハンドヘルド点字変換装置。
【請求項９】
前記点字表示部は、点字を構成しない可動式の第３部材を有し、
前記表示制御手段は、前記第３部材を動作させることにより、前記撮影画像に存在する文字の有無を示すことを特徴とする請求の範囲第１項に記載のハンドヘルド点字変換装置。
【請求項１０】
前記点字表示部は、点字を構成しない可動式の第４部材を有し、
前記表示制御手段は、前記第４部材を動作させることにより、前記撮影画像に存在する文字列が横書きであるか縦書きであるかを示すことを特徴とする請求の範囲第１項に記載のハンドヘルド点字変換装置。
【請求項１１】
前記第２部材、前記第３部材又は前記第４部材は、点字を構成する複数の可動式の第１部材に対し、形状、大きさ及び部材表面の触感のうちの少なくともいずれか一つが異なることを特徴とする請求の範囲第５項に記載のハンドヘルド点字変換装置。
【請求項１２】
前記点字表示部は、各々が１つの点字に対応する複数の単位点字表示部を有し、
前記第２部材、前記第３部材又は前記第４部材は、前記複数の単位点字表示部の外側に配置されていることを特徴とする請求の範囲第５項に記載のハンドヘルド点字変換装置。
【請求項１３】
ユーザが片手で保持した状態で移動させることが可能であり、保持している手の少なくとも一本の指が接触可能な位置に配置されて点字を表示する点字表示部を備えるハンドヘルド点字変換装置において実行される点字変換方法であって、
前記装置周辺の所定範囲を撮影する撮影工程と、
前記撮影工程の撮影画像に存在する文字の有無を検知し、存在する文字を認識する文字認識工程と、
前記文字認識工程で認識した文字の一部又は全部を点字に変換する点字変換工程と、
前記点字変換工程で変換した点字を前記点字表示部に表示させる表示制御工程と、を有することを特徴とする点字変換方法。
【請求項１４】
ユーザが片手で保持した状態で移動させることが可能であり、保持している手の少なくとも一本の指が接触可能な位置に配置されて点字を表示する点字表示部を備えるハンドヘルド点字変換装置において実行される点字変換プログラムであって、
前記装置周辺の所定範囲を撮影する撮影手段、
前記撮影手段の撮影画像に存在する文字の有無を検知し、存在する文字を認識する文字認識手段、
前記文字認識手段が認識した文字の一部又は全部を点字に変換する点字変換手段、
前記点字変換手段が変換した点字を前記点字表示部に表示させる表示制御手段、として前記ハンドヘルド点字変換装置を機能させることを特徴とする点字変換プログラム。
【請求項１５】
請求の範囲第１４項に記載の点字変換プログラムを記憶したことを特徴とする記憶媒体。
【発明の詳細な説明】
【技術分野】
【０００１】
本発明は、文字を点字変換する手法に関する。
【背景技術】
【０００２】
視覚障害者用の文字閲覧装置としては、一列分の文字の電子データを点字に変換し表示する点字表示装置が知られている。【０００３】
特許文献１は、コンピュータ内のテキストデータを点字変換して表示する電子データ表示システムを記載している。
【先行技術文献】
【特許文献】
【０００４】
【特許文献１】特表２００３−５０２６９９号公報  しかし、上記の文字認識装置は、印刷物の文字などをその場で簡単に点字に変換することができないなどの問題点があった。
【発明の概要】
【発明が解決しようとする課題】
【０００５】
本発明が解決しようとする課題としては、上記のようなものが例として挙げられる。本発明は、ユーザが携帯し易く、印刷物の文字などをその場で簡単に点字変換することができる点字変換装置を提供することを課題とする。
【課題を解決するための手段】
【０００６】
請求項１に記載の発明は、ユーザが片手で保持した状態で移動させることが可能なハンドヘルド点字変換装置であって、前記装置を保持している手の少なくとも一本の指が接触可能な位置に配置され、点字を表示する点字表示部と、前記装置周辺の所定範囲を撮影する撮影手段と、前記撮影手段の撮影画像に存在する文字の有無を検知し、存在する文字を認識する文字認識手段と、前記文字認識手段が認識した文字の一部又は全部を点字に変換する点字変換手段と、前記点字変換手段が変換した点字を前記点字表示部に表示させる表示制御手段と、を備えることを特徴とする。【０００７】
請求項１３に記載の発明は、ユーザが片手で保持した状態で移動させることが可能であり、保持している手の少なくとも一本の指が接触可能な位置に配置されて点字を表示する点字表示部を備える点字変換装置において実行される点字変換方法であって、前記装置周辺の所定範囲を撮影する撮影工程と、前記撮影工程の撮影画像に存在する文字の有無を検知し、存在する文字を認識する文字認識工程と、前記文字認識工程で認識した文字の一部又は全部を点字に変換する点字変換工程と、前記点字変換工程で変換した点字を前記点字表示部に表示させる表示制御工程と、を有することを特徴とする。【０００８】
請求項１４に記載の発明は、ユーザが片手で保持した状態で移動させることが可能であり、保持している手の少なくとも一本の指が接触可能な位置に配置されて点字を表示する点字表示部を備えるハンドヘルド点字変換装置において実行される点字変換プログラムであって、前記装置周辺の所定範囲を撮影する撮影手段、前記撮影手段の撮影画像に存在する文字の有無を検知し、存在する文字を認識する文字認識手段、前記文字認識手段が認識した文字の一部又は全部を点字に変換する点字変換手段、前記点字変換手段が変換した点字を前記点字表示部に表示させる表示制御手段、として前記ハンドヘルド点字変換装置を機能させることを特徴とする。
【図面の簡単な説明】
【０００９】
【図１】ハンドヘルド点字変換装置の構成を示すブロック図である。
【図２】ハンドヘルド点字変換装置の構造を示すブロック図である。
【図３】ハンドヘルド点字変換装置の機能構成を示すブロック図である。
【図４】点字表示部の例を示す。
【図５】点字表示及び位置関係適否表示の例を示す。
【図６】点字変換処理のフローチャートである。
【発明を実施するための形態】
【００１０】
本発明の好適な実施形態では、ユーザが片手で保持した状態で移動させることが可能なハンドヘルド点字変換装置は、前記装置を保持している手の少なくとも一本の指が接触可能な位置に配置され、点字を表示する点字表示部と、前記装置周辺の所定範囲を撮影する撮影手段と、前記撮影手段の撮影画像に存在する文字の有無を検知し、存在する文字を認識する文字認識手段と、前記文字認識手段が認識した文字の一部又は全部を点字に変換する点字変換手段と、前記点字変換手段が変換した点字を前記点字表示部に表示させる表示制御手段と、を備える。
【００１１】
上記のハンドヘルド点字変換装置は、文字の読み取りから点字の出力までを一台で完結する。また、片手で持てるぐらいのサイズである。これにより、ユーザが携帯し易く、身近にある文字をその場で簡単に点字変換することができる点字変換装置を提供することが可能となる。
【００１２】
上記の点字変換装置の一態様では、前記ハンドヘルド点字変換装置は、印刷物の表面を移動可能であり、前記撮影手段は、前記印刷物の表面の所定範囲を撮影し、前記文字認識手段は、撮影された印刷物の表面に印刷されている文字の存在の有無を検知し、存在する文字を認識する。これにより、点字印刷されてない新聞、雑誌、レストランのメニューなどの印刷物をその場で簡単に読める様になる。
【００１３】
上記の点字変換装置の他の一態様では、前記撮影手段は、前記点字表示部の直下周辺に配置されている。これにより、ユーザの指が置かれる点字表示部の直下周辺の文字が点字変換されるので、ユーザは、点字変換されている文字の位置を把握しやすい。
【００１４】
上記の点字変換装置の一態様では、前記点字表示部は、各々が１つの点字に対応する複数の単位点字表示部を有し、前記単位点字表示部は、点字を構成する凸形状の位置に配置された複数の可動式の第１部材を有し、前記表示制御手段は、前記第１部材を昇降させて凸形状を形成したりしなかったりすることにより点字を表示する。このように、数個の単位点字表示部を設けることで、ユーザは通常の点字と同様に数文字ずつ指先で認識することができる。なお、第１部材は、ピンや球といった部材であり、ピンや球を上昇させて凸部を形成する。
【００１５】
上記の点字変換装置の他の一態様では、前記点字表示部は、点字を構成しない複数の可動式の第２部材を有し、前記表示制御手段は、前記第２部材を動作させることにより、前記撮影画像に存在する文字又は文字列に対する前記ハンドヘルド点字変換装置の位置関係の適否を表示する。ここで、ハンドヘルド点字変換装置の位置関係の適否を判断するための対象を撮影画像に存在する文字（複数の文字が存在する場合には中央付近の文字等の代表の文字）としても撮影画像に存在する文字列としてもよい。また、撮影画像に一つの文字のみ存在する場合にはその文字を対象とし、複数の文字が存在する場合には文字列を対象とするようにしてもよい。この態様では、ユーザは第２部材の動作を指先で確認することで、文字又は文字列に対する点字変換装置の位置の適否を判断することができる。
【００１６】
上記の点字変換装置の他の一態様では、前記表示制御手段は、前記複数の第２部材の一部を動作させることにより、前記ハンドヘルド点字変換装置の位置が前記撮影画像に存在する文字又は文字列に対していずれの方向にずれているかを示す。この態様では、点字変換装置が文字を適正に読み取れなかった場合、ユーザは第２部材の動作を指で確認することで、文字又は文字列に対して点字変換装置の位置がずれている方向を知ることができる。
【００１７】
上記の点字変換装置の他の一態様では、前記表示制御手段は、前記複数の第２部材の一部又は全部を動作させることにより、前記撮影画像に存在する文字の有無を示す。この態様では、ユーザは第２部材の動作を指で確認することで、撮影画像に文字が存在するか否かを知ることができる。また、ユーザは、撮影画像に文字が存在するにも関わらず点字が表示されていなければ、文字認識できなかった又は点字変換できなかったことを知ることができる。
【００１８】
上記の点字変換装置の他の一態様では、前記表示制御手段は、前記複数の第２部材の一部又は全部を動作させることにより、前記撮影画像に存在する文字列が横書きであるか縦書きであるかを示す。この態様では、ユーザは第２部材の動作を指で確認することで、撮影画像に存在する文字列が横書きであるか縦書きであるかを判断して適切な方向に点字変換装置を移動させることができる。
【００１９】
上記の点字変換装置の他の一態様では、前記点字表示部は、点字を構成しない可動式の第３部材を有し、前記表示制御手段は、前記第３部材を動作させることにより、前記撮影画像に存在する文字の有無を示す。この態様では、ユーザは第３部材の動作を指で確認することで、撮影画像に文字が存在するか否かを知ることができる。また、ユーザは、撮影画像に文字が存在するにも関わらず点字が表示されていなければ、文字認識できなかった又は点字変換できなかったことを知ることができる。
【００２０】
上記の点字変換装置の他の一態様では、前記点字表示部は、点字を構成しない可動式の第４部材を有し、前記表示制御手段は、前記第４部材を動作させることにより、前記撮影画像に存在する文字列が横書きであるか縦書きであるかを示す。この態様では、ユーザは第４部材の動作を指で確認することで、撮影画像に存在する文字列が横書きであるか縦書きであるかを判断して適切な方向に点字変換装置を移動させることができる。
【００２１】
上記の点字変換装置の他の一態様では、前記第２部材、前記第３部材又は前記第４部材は、点字を構成する複数の可動式の第１部材に対し、形状、大きさ及び部材表面の触感のうちの少なくともいずれか一つが異なる。これにより、ユーザは第１部材と第２部材、第３部材及び第４部材とを区別することができる。なお、第２部材、第３部材又は第４部材は、ピン、球や振動部材といったユーザが指の触感で認識可能な部材である。
【００２２】
上記の点字変換装置の他の一態様では、前記点字表示部は、各々が１つの点字に対応する複数の単位点字表示部を有し、前記第２部材、前記第３部材又は前記第４部材は、前記複数の単位点字表示部の外側に配置されている。これにより、ユーザは単位点字表示部と第２部材、第３部材及び第４部材とを区別することができる。
【００２３】
本発明の他の好適な実施形態では、ユーザが片手で保持した状態で移動させることが可能であり、保持している手の少なくとも一本の指が接触可能な位置に配置されて点字を表示する点字表示部を備えるハンドヘルド点字変換装置において実行される点字変換方法は、前記装置周辺の所定範囲を撮影する撮影工程と、前記撮影工程の撮影画像に存在する文字の有無を検知し、存在する文字を認識する文字認識工程と、前記文字認識工程で認識した文字の一部又は全部を点字に変換する点字変換工程と、前記点字変換工程で変換した点字を前記点字表示部に表示させる表示制御工程と、を有する。
【００２４】
本発明の他の好適な実施形態では、ユーザが片手で保持した状態で移動させることが可能であり、保持している手の少なくとも一本の指が接触可能な位置に配置されて点字を表示する点字表示部を備えるハンドヘルド点字変換装置において実行される実行されるプログラムは、前記装置周辺の所定範囲を撮影する撮影手段、前記撮影手段の撮影画像に存在する文字の有無を検知し、存在する文字を認識する文字認識手段、前記文字認識手段が認識した文字の一部又は全部を点字に変換する点字変換手段、前記点字変換手段が変換した点字を前記点字表示部に表示させる表示制御手段、として前記ハンドヘルド点字変換装置を機能させる。
【００２５】
上記の点字変換方法及び点字変換プログラムによっても、システムが簡単で製造コストが低く、ユーザが携帯し、その場で簡単に点字変換することができる点字変換装置を提供することが可能となる。なお、点字変換プログラムは、記録媒体に記録した状態で好適に取り扱うことができる。
【実施例】
【００２６】
以下、図面を参照して本発明の好適な実施例について説明する。【００２７】
図１に、本発明の本実施例に係るハンドヘルド点字変換装置１の構成を示す。図示のように、ハンドヘルド点字変換装置１は、点字表示部１０、ＣＰＵ１１、ＲＡＭ１２、ＲＯＭ１３、電源１４、ＣＣＤカメラ１５、レンズ１６、照明用ＬＥＤ１７を備える。【００２８】
点字表示部１０は、図示のように複数の可動式ピンを備え、これを昇降させて凸形状を形成することにより点字を表示する。可動式ピンの配置などの詳細については後述する。【００２９】
ユーザが、印刷物の上にハンドヘルド点字変換装置１を置くと、ＣＣＤカメラ１５は、ハンドヘルド点字変換装置１の周辺の所定範囲を撮影し、撮影画像をＣＰＵ１１に送信する。ＣＰＵ１１は、ＣＣＤカメラ１５から取得した撮影画像に対し、文字の有無を検知し、文字が有る場合はＯＣＲ（Optical Character Recognition；光学文字認識）処理を実行することで、文字の認識を行う。ＣＰＵ１１は、ＲＡＭ１２及びＲＯＭ１３といったメモリに記憶された漢字と読みとを対応付けた辞書情報と、読みと点字とを対応付けた点字定義情報とを参照し、認識した文字を点字に変換する。そして、ＣＰＵ１１は、変換した点字を点字表示部１０に表示させる。電源１４は、ハンドヘルド点字変換装置１に電力を供給する。レンズ１６は、ＣＣＤカメラのレンズであり、照明用ＬＥＤ１７は、ＣＣＤカメラ１５が文字を撮影する際に必要な光源である。【００３０】
図２に、本発明の本実施例に係るハンドヘルド点字変換装置１の構造を示す。図２（ａ）はハンドヘルド点字変換装置１の内部構造を示す側面透視図であり、図２（ｂ）はハンドヘルド点字変換装置１の内部構造を破線で表示した俯瞰図である。ハンドヘルド点字変換装置１は、ユーザが片手で保持した状態で移動させることが可能なハンドヘルド型装置であり、内部に点字表示部１０、電源１４、ＣＣＤカメラ１５、レンズ１６、照明用ＬＥＤ１７、システムコントローラ１９、を備える。ＣＣＤカメラ１５とシステムコントローラ１９、システムコントローラ１９と点字表示部１０、システムコントローラ１９と電源１４はそれぞれ配線により電気的に接続されている。【００３１】
点字表示部１０は、ユーザが片手の親指及び小指でこのハンドヘルド点字変換装置１を保持した状態で人差し指、中指及び薬指の少なくともいずれかの指で点字表示部１０に接触可能な位置に配置されている。【００３２】
ＣＣＤカメラ１５、レンズ１６及び照明用ＬＥＤ１７は、点字表示部１０の直下周辺に配置されている。本実施例では、点字表示部の直下部分とこの部分から所定距離以内の部分を直下周辺とする。所定距離とは、例えば３ｃｍである。システムコントローラ１９は、ＣＰＵ１１、ＲＡＭ１２及びＲＯＭ１３を含んでおり、ハンドヘルド点字変換装置１全体の制御を行う。電源１４は、例えば電池などで構成され、システムコントローラ１９に電力を供給し、システムコントローラ１９を介し、各部品に電力を供給する。【００３３】
図３に、本実施例のハンドヘルド点字変換装置１の機能構成を示す。これらの機能は、図１に示す構成要素により実現される。【００３４】
ハンドヘルド点字変換装置１は、ＣＣＤカメラ１５と、ＣＰＵ１１と、ＲＯＭ１３と、点字表示部１０とを備える。ＣＰＵ１１は、予め用意されたプログラムを実行することにより、文字認識部１０１、点字変換部１０２及び表示制御部１０３として機能する。ＲＯＭ１３は、辞書情報及び点字定義情報を記憶している。なお、辞書情報及び点字定義情報の一部はＲＡＭ１２に記憶されていてもよい。【００３５】
ＣＣＤカメラ１５は、ハンドヘルド点字変換装置１の周辺の所定範囲を撮影し、撮影画像をＣＰＵ１１に送信する。ＣＣＤカメラ１５は、本発明における撮影手段として機能する。【００３６】
文字認識部１０１は、ＣＣＤカメラ１５から受信した撮影画像に対し、文字の有無を検知し、文字が有る場合はＯＣＲ処理を実行することで、文字の認識を行う。【００３７】
点字変換部１０２は、文字認識部１０１が認識した文字が漢字である場合は、まず、漢字と読みとを対応付けた辞書情報に基づいて漢字を読みに変換し、次に、読みと点字とを対応付けた点字定義情報に基づいて点字に変換する。点字変換部１０２は、文字認識部１０１が認識した文字がひらがな、カタカナ、数字及びアルファベットである場合は、これらと点字とを対応付けた点字定義情報に基づいて点字に変換する。なお、点字変換部１０２は、検知した文字全てを点字に変換するようにしても、一部（例えば、点字表示部１０で表示可能な文字数）のみを点字に変換するようにしてもよい。【００３８】
表示制御部１０３は、点字変換部１０２が変換した点字を、点字表示部１０に表示させる。【００３９】
点字表示部１０は、可動式ピンを昇降させて凸形状を形成することにより点字表示や位置関係適否表示などを行う。【００４０】
次に点字表示部１０の可動式ピンの配置について図４及び図５を用いて詳しく説明する。図４は、本実施例に係る点字表示部１０の例である。点字表示部１０は、可動式ピン２１を２４個配置している。可動式ピン２１は６個で１つの単位点字表示部２２を構成し、点字表示部１０は、合計４つの単位点字表示部２２を横並びに配置している。１つ又は２つの単位点字表示部２２が１文字に対応し、６個の可動式ピン２１が昇降し、凸形状を形成することにより点字を表示する。この可動式ピン２１を、以下、第１ピンと呼ぶ。【００４１】
図４（ａ）の例では、点字表示部１０は、４つの単位点字表示部２２の外側に４個の可動式ピン２０ＬＦ、２０ＲＦ、２０ＬＲ及び２０ＲＲを配置している。表示制御部１０３は、可動式ピン２０ＬＦ、２０ＲＦ、２０ＬＲ及び２０ＲＲの一部を突出させることで、文字の有無の表示及び位置関係適否表示を行う。この可動式ピン２０ＬＦ、２０ＲＦ、２０ＬＲ及び２０ＲＲを、以下、第２ピンと呼ぶ。【００４２】
図４（ｂ）の例では、点字表示部１０は、４つの単位点字表示部２２の外側に１個の可動式ピン２３を配置している。可動式ピン２３は文字の有無のみを表示する。具体的には、表示制御部１０３は、可動式ピン２３を昇降させることで、文字認識部１０１が撮影画像に文字の存在を検知したか否かを表示する。この可動式ピン２３を、以下、第３ピンと呼ぶ。【００４３】
図４（ｃ）の例では、点字表示部１０は、４つの単位点字表示部２２の外側に２個の可動式ピン２４Ａ及び２４Ｂを配置している。可動式ピン２４Ａ及び２４Ｂは撮影画像に存在する文字列が横書きであるか縦書きであるかを表示する。具体的には、表示制御部１０３は、撮影画像に存在する文字列が縦書きである場合、可動式ピン２４Ａ及び２４Ｂを突出させる。この可動式ピン２４Ａ及び２４Ｂを、以下、第４ピンと呼ぶ。【００４４】
図４（ｄ）の例では、点字表示部１０は、４つの単位点字表示部２２の外側に第２ピン２０ＬＦ、２０ＲＦ、２０ＬＲ及び２０ＲＲ、並びに、第２ピン２０Ａ及び２０Ｂを配置している。表示制御部１０３は、第２ピン２０ＬＦ、２０ＲＦ、２０ＬＲ及び２０ＲＲの一部を突出させることで、文字の有無の表示及び位置関係適否表示を行い、第２ピン２０Ａ及び２０Ｂを昇降させることで撮影画像に存在する文字列が横書きであるか縦書きであるかを表示する。即ち、図４（ｄ）の例では、図４（ｂ）及び（ｃ）の例における第３ピン及び第４ピンの機能を第２ピンのみで実現する。【００４５】
次に、図５に図４（ｄ）の例による点字表示、位置関係適否表示及び横書きであるか縦書きであるかの表示の例を示す。なお、図５では突出していないピンを「○」で表し、突出しているピンを「○の中に×」で表す。また、ハンドヘルド点字変換装置１の移動方向を図中の矢印で示す。【００４６】
ハンドヘルド点字変換装置１と撮影画像に存在する文字又は文字列との位置関係が適正でない場合に表示制御部１０３は第２ピン２０ＬＦ、２０ＲＦ、２０ＬＲ及び２０ＲＲの一部を突出させることにより、文字認識部１０１が撮影画像に文字の存在を検知したこと及びハンドヘルド点字変換装置１の位置がこの撮影画像に存在する文字又は文字列に対していずれの方向にずれているかを示す。また、撮影画像に存在する文字又は文字列との位置関係が適正である場合に表示制御部１０３は第２ピン２０ＬＦ、２０ＲＦ、２０ＬＲ及び２０ＲＲを全て突出させることにより、文字認識部１０１が撮影画像に文字の存在を検知したこと及びこの撮影画像に存在する文字又は文字列に対してハンドヘルド点字変換装置１の位置が適正な位置であることを示す。なお、第２ピン２０ＬＦ、２０ＲＦ、２０ＬＲ及び２０ＲＲは、第１ピンよりも大きく、単位点字表示部２２の外側に配置されているため、ユーザは指先の感触の違いにより第１ピンと第２ピンを区別することができる。【００４７】
図５（ａ）は、ハンドヘルド点字変換装置１の位置が撮影画像に存在する横書きの文字列に対して適正である場合の表示の例である。ハンドヘルド点字変換装置１が撮影画像に存在する文字列の真ん中を水平に移動している。このように、撮影画像に存在する文字列「ア」「イ」「ウ」「エ」に対し、文字認識部１０１がこれらの文字の存在を検知し且つハンドヘルド点字変換装置１の位置が適正な位置である場合、第２ピン２０ＬＦ、２０ＲＦ、２０ＬＲ及び２０ＲＲは突出している。さらに、点字変換部１０２が点字に変換可能である場合、４つの単位点字表示部２２には、撮影画像に存在する文字列「ア」「イ」「ウ」「エ」が点字表示される。ここでは、文字認識部１０１が撮影画像に文字の存在を検知し且つハンドヘルド点字変換装置１の位置が適正な位置である場合、第２ピン２０ＬＦ、２０ＲＦ、２０ＬＲ及び２０ＲＲは突出することとしているが、第２ピンのいずれか１個が突出することとしてもよい。なお、撮影画像に存在する文字列「ア」「イ」「ウ」「エ」が横書きであるため、第２ピン２０Ａ及び２０Ｂは突出していない。これにより、ユーザは、文字列が横書きであることを知るとともにハンドヘルド点字変換装置１の位置が文字列に対して適正な位置であることを知ることができる。【００４８】
図５（ｂ）は、ハンドヘルド点字変換装置１の位置が撮影画像に存在する横書きの文字列に対して上方向にずれている場合の表示の例である。ハンドヘルド点字変換装置１が撮影画像に存在する文字列に対して上にずれて移動している。このように、撮影画像に存在する文字列「ア」「イ」「ウ」「エ」に対し、文字認識部１０１が文字の存在を検知し且つハンドヘルド点字変換装置１の位置が上方向にずれている場合、第２ピン２０ＬＦ及び２０ＲＦが突出している。また、文字認識部１０１がこれらの文字を認識できているため、４つの単位点字表示部２２には撮影画像に存在する文字列「ア」「イ」「ウ」「エ」が点字表示されている。なお、撮影画像に存在する文字列「ア」「イ」「ウ」「エ」が横書きであるため、第２ピン２０Ａ及び２０Ｂは突出していない。横書きの文字列の場合、第２ピン２０ＬＦ及び２０ＲＦが突出している状態は、ハンドヘルド点字変換装置１の位置が撮影画像に存在する文字列に対して上方向にずれていることを示す。これにより、ユーザは、文字列が横書きであることを知り、ハンドヘルド点字変換装置１の位置を下方向にずらせばよいことを知ることができる。【００４９】
図５（ｃ）は、ハンドヘルド点字変換装置１の位置が撮影画像に存在する横書きの文字列に対して下方向にずれている場合の表示の例である。ハンドヘルド点字変換装置１が撮影画像に存在する文字列に対して下にずれて移動している。このように、撮影画像に存在する文字列「ア」「イ」「ウ」「エ」に対し、文字認識部１０１が文字の存在を検知し且つハンドヘルド点字変換装置１の位置が下方向にずれている場合、第２ピン２０ＬＲ及び２０ＲＲが突出している。また、文字認識部１０１がこれらの文字を認識できているため、４つの単位点字表示部２２には撮影画像に存在する文字列「ア」「イ」「ウ」「エ」が点字表示されている。なお、撮影画像に存在する文字列「ア」「イ」「ウ」「エ」が横書きであるため、第２ピン２０Ａ及び２０Ｂは突出していない。横書きの文字列の場合、第２ピン２０ＬＲ及び２０ＲＲが突出している状態は、ハンドヘルド点字変換装置１の位置が撮影画像に存在する文字列に対して下方向にずれていることを示す。これにより、ユーザは、文字列が横書きであることを知り、ハンドヘルド点字変換装置１の位置を上方向にずらせばよいことを知ることができる。【００５０】
図５（ｄ）は、ハンドヘルド点字変換装置１の位置が撮影画像に存在する横書きの文字列に対して斜め上方向にずれている場合の表示の例である。ハンドヘルド点字変換装置１が撮影画像に存在する文字列に対して斜め上方向（右上がり）にずれて移動している。このように、撮影画像に存在する文字列「ア」「イ」「ウ」「エ」に対し、文字認識部１０１が文字の存在を検知し且つハンドヘルド点字変換装置１の位置が斜め上方向にずれている場合、第２ピン２０ＬＲ及び２０ＲＦが突出している。また、文字認識部１０１が文字を認識できているため、４つの単位点字表示部２２には撮影画像に存在する文字列「ア」「イ」「ウ」「エ」が点字表示されている。なお、撮影画像に存在する文字列「ア」「イ」「ウ」「エ」が横書きであるため、第２ピン２０Ａ及び２０Ｂは突出していない。横書きの文字列の場合、第２ピン２０ＬＲ及び２０ＲＦが突出している状態は、ハンドヘルド点字変換装置１の位置が撮影画像に存在する文字列に対して斜め上方向にずれていることを示す。これにより、ユーザは、文字列が横書きであることを知り、ハンドヘルド点字変換装置１の位置を斜め下方向（右下がり）にずらせばよいことを知ることができる。【００５１】
図５（ｅ）は、ハンドヘルド点字変換装置１の位置が撮影画像に存在する横書きの文字列に対して斜め下方向にずれている場合の表示の例である。ハンドヘルド点字変換装置１が撮影画像に存在する文字列に対して斜め下方向（右下がり）にずれて移動している。このように、撮影画像に存在する文字列「ア」「イ」「ウ」「エ」に対し、文字認識部１０１が文字の存在を検知し且つハンドヘルド点字変換装置１の位置が斜め上方向にずれている場合、第２ピン２０ＬＦ及び２０ＲＲが突出している。また、文字認識部１０１が文字を認識できているため、４つの単位点字表示部２２には撮影画像に存在する文字列「ア」「イ」「ウ」「エ」が点字表示されている。なお、撮影画像に存在する文字列「ア」「イ」「ウ」「エ」が横書きであるため、第２ピン２０Ａ及び２０Ｂは突出していない。横書きの文字列の場合、第２ピン２０ＬＦ及び２０ＲＲが突出している状態は、ハンドヘルド点字変換装置１の位置が撮影画像に存在する文字列に対して斜め下方向にずれていることを示す。これにより、ユーザは、文字列が横書きであることを知り、ハンドヘルド点字変換装置１の位置を斜め上方向（右上がり）にずらせばよいことを知ることができる。【００５２】
本実施例では、第２ピンのうち少なくとも１個が突出している状態は、文字認識部１０１が撮影画像に文字の存在を検知している状態を示す。【００５３】
なお、上記の図５（ａ）〜（ｅ）の例において、ハンドヘルド点字変換装置１と撮影画像に存在する文字列との位置関係は、ＣＣＤカメラ１５から供給される撮影画像を文字認識部１０１が分析することにより判定することができる。具体的に、ＣＣＤカメラ１５からの撮影画像の上下方向におけるほぼ中央に文字列が存在すれば、文字認識部１０１は図５（ａ）のようにハンドヘルド点字変換装置１が撮影画像に存在する文字列に対して適正な位置にあると判断する。これに対し、ＣＣＤカメラ１５からの撮影画像の上下方向における下側のみに文字列が存在すれば、文字認識部１０１は図５（ｂ）のようにハンドヘルド点字変換装置１が撮影画像に存在する文字列に対して上にずれていると判断する。逆に、ＣＣＤカメラ１５からの撮影画像の上下方向における上側のみに文字列が存在すれば、文字認識部１０１は図５（ｃ）のようにハンドヘルド点字変換装置１が撮影画像に存在する文字列に対して下にずれていると判断する。【００５４】
また、ＣＣＤカメラ１５からの撮影画像において文字列の位置が上側から下側へと変化していれば、文字認識部１０１は図５（ｄ）のようにハンドヘルド点字変換装置１が撮影画像に存在する文字列に対して斜め上方向にずれていると判断する。逆に、ＣＣＤカメラ１５からの撮影画像において文字列の位置が下側から上側へと変化していれば、文字認識部１０１は図５（ｅ）のようにハンドヘルド点字変換装置１が撮影画像に存在する文字列に対して斜め下方向にずれていると判断する。【００５５】
上記の図５（ｂ）〜（ｅ）の例では、ハンドヘルド点字変換装置１と撮影画像に存在する文字列との位置関係が適正でないが、文字認識部１０１が文字を認識できているため、点字表示部１０に点字が表示されていることとしたが、撮影画像に存在する文字列との位置関係のずれが大きく、文字認識部１０１が文字を認識できない場合は、点字表示部１０に点字は表示されず、ずれの方向のみが表示される。【００５６】
図５（ｆ）は、文字認識部１０１が撮影画像に存在する文字を検知できたが文字を認識できなかった場合、又は、文字認識部１０１が文字を認識できたが点字変換部１０２による点字変換が不可能である場合の表示の例である。例えば、撮影画像に存在する文字列「○」「△」「□」「◇」に対し、文字認識部１０１は文字の存在を検知し且つハンドヘルド点字変換装置１の位置が適正な位置であるため、第２ピン２０ＬＦ、２０ＲＦ、２０ＬＲ及び２０ＲＲは突出しているが、文字の認識が不可能であるため、４つの単位点字表示部２２には何も表示されない。また、文字認識部１０１はギリシャ文字に対応しているが、点字変換部１０２がギリシャ文字に対応していない場合、撮影画像に存在する文字列「α」「β」「γ」「δ」に対し、文字認識部１０１が文字の存在を検知し且つハンドヘルド点字変換装置１の位置が適正な位置であるため、第２ピン２０ＬＦ、２０ＲＦ、２０ＬＲ及び２０ＲＲは突出しているが、点字変換が不可能であるため、４つの単位点字表示部２２には何も表示されない。これにより、ユーザは、文字が存在しているが文字認識できなかったこと又は点字変換できなかったことを知ることができる。【００５７】
図５（ｇ）は、撮影画像に存在する文字列が、縦書きである場合の表示の例である。ハンドヘルド点字変換装置１が撮影画像に存在する文字列の真ん中を水平に移動している。撮影画像に存在する縦書きの文字列「ア」「イ」「ウ」「エ」に対し、文字認識部１０１が撮影画像に文字の存在を検知し且つハンドヘルド点字変換装置１の位置が適正な位置であるため、第２ピン２０ＬＦ、２０ＲＦ、２０ＬＲ及び２０ＲＲは突出している。さらに、点字変換部１０２が点字に変換可能である場合、４つの単位点字表示部２２には、撮影画像に存在する文字列「ア」「イ」「ウ」「エ」が点字表示される。また、撮影画像に存在する文字列「ア」「イ」「ウ」「エ」が縦書きであるため、第２ピン２０Ａ及び２０Ｂが突出している。これにより、ユーザは、文字列が縦書きであることを知るとともにハンドヘルド点字変換装置１の位置が文字列に対して適正な位置であることを知ることができる。【００５８】
なお、文字列が縦書きである場合、第２ピン２０ＲＦ及び２０ＲＲが突出している状態は、ハンドヘルド点字変換装置１の位置が撮影画像に存在する文字列に対して右方向にずれていることを示し、第２ピン２０ＬＦ及び２０ＬＲが突出している状態は、ハンドヘルド点字変換装置１の位置が撮影画像に存在する文字列に対して左方向にずれていることを示す。また、第２ピン２０ＲＦ及び２０ＬＲが突出している状態は、ハンドヘルド点字変換装置１の位置が撮影画像に存在する文字列に対して斜め左方向にずれていることを示し、第２ピン２０ＬＦ及び２０ＲＲが突出している状態は、ハンドヘルド点字変換装置１の位置が撮影画像に存在する文字列に対して斜め右方向にずれていることを示す。【００５９】
次に、本実施例による点字変換処理について図６を参照して説明する。この処理は、図１に示すシステムコントローラ１９が予め用意されたプログラムを実行することにより実現される。図６は点字変換処理のフローチャートである。【００６０】
ユーザは、点字表示したい文字が存在する印刷物等の上にハンドヘルド点字変換装置１を置いて、点字変換処理のスイッチをＯＮにする（ステップＳ１）。ＣＣＤカメラ１５は、ハンドヘルド点字変換装置１の周辺の所定範囲を撮影し（ステップＳ２）、撮影画像を文字認識部１０１に送信する。文字認識部１０１は、受信した撮影画像に文字が存在するか否かを判定する（ステップＳ３）。撮影画像に文字が存在する場合（ステップＳ３；Ｙｅｓ）、文字認識部１０１は、文字列が縦書きであるか否かを判定する（ステップＳ４）。文字列が縦書きである場合（ステップＳ４；Ｙｅｓ）、表示制御部１０３は、第２ピン２０Ａ及び２０Ｂを突出させ（ステップＳ５）、ステップＳ６を実行する。文字列が縦書きでない場合（ステップＳ４；Ｎｏ）、文字認識部１０１は、文字列がずれているか否かを判定する（ステップＳ６）。文字列がずれている場合（ステップＳ６；Ｙｅｓ）、表示制御部１０３は、第２ピン２０ＬＦ、２０ＲＦ、２０ＬＲ及び２０ＲＲの一部を突出させ、ずれている方向を示し（ステップＳ７）、ステップＳ９を実行する。文字列がずれていない場合（ステップＳ６；Ｎｏ）、表示制御部１０３は、第２ピン２０ＬＦ、２０ＲＦ、２０ＬＲ及び２０ＲＲを突出させる（ステップＳ８）。【００６１】
次に、文字認識部１０１は、撮影した画像に存在する文字の文字認識を行う（ステップＳ９）。文字認識部１０１は、文字を認識できたか否かを判定する（ステップＳ１０）。文字を認識できなかった場合（ステップＳ１０；Ｎｏ）、ステップＳ１５を実行する。文字を認識できた場合（ステップＳ１０；Ｙｅｓ）、点字変換部１０２は、文字認識部１０１が認識した文字の点字変換を行う（ステップＳ１１）。そして、点字変換部１０２は、認識した文字を点字に変換できたか否かを判定する（ステップＳ１２）。点字に変換できなかった場合（ステップＳ１２；Ｎｏ）、ステップＳ１５を実行する。点字に変換できた場合（ステップＳ１２；Ｙｅｓ）、表示制御部１０３は、第１ピンを突出させることで変換した点字を点字表示部１０に表示させ（ステップＳ１３）、ステップＳ１５を実行する。【００６２】
一方、撮影画像に文字が存在しない場合（ステップＳ３；Ｎｏ）、点字表示及び位置関係適否表示を全てクリアし（ステップＳ１４）、ステップＳ１５を実行する。【００６３】
ステップＳ１５では、ＣＣＤカメラ１５は、撮影画像の変化に基づいて装置が移動したか否かを判定する。装置が移動した場合（ステップＳ１５；Ｙｅｓ）、処理はステップＳ２に戻り、ステップＳ２〜Ｓ１５を繰り返す。装置が移動していない場合（ステップＳ１５；Ｎｏ）、表示を継続し（ステップＳ１６）、スイッチがＯＦＦになったか否かを判定する（ステップＳ１７）。スイッチがＯＦＦになっていない場合（ステップＳ１７；Ｎｏ）、処理はステップＳ１５に戻り、ステップＳ１５〜Ｓ１７を繰り返す。スイッチがＯＦＦになった場合（ステップＳ１７；Ｙｅｓ）、処理を終了する。【００６４】
以上述べたように本実施例のハンドヘルド点字変換装置によれば、ユーザが携帯し易く、印刷物などの文字をその場で簡単に点字変換できる。【００６５】
［変形例］
上述の実施例では、点字表示部は、単位点字表示部を４つ備えることとしているが、本発明はこれに限られない。ユーザにとって最も指先で認識しやすい文字数にするとよい。【００６６】
上述の実施例では、第２ピンは、単位点字表示部を構成する第１ピンより大きく、複数の単位点字表示部の外側に配置されていることとしていたが、本発明はこれに限られない。第１ピンと第２ピンを区別する方法として、第１ピンと第２ピンの触感が異なることとしてもよい。同様に第１ピンと第３ピン及び第４ピンとを形状、大きさ、ピン表面の触感又は配置で区別することとしてもよい。【００６７】
上述の実施例では、文字の有無の表示、位置関係適否表示及び文字列が横書きであるか縦書きであるかの表示を行う際、第２ピン、第３ピン及び第４ピンを昇降させることとしているが、本発明はこれに限られない。第２ピン、第３ピン及び第４ピンを振動させるなど、別の方法でユーザに認知させてもよい。【００６８】
上述の実施例では、印刷物の文字を点字変換することとしているが、本発明はこれに限られない。印刷された文字でなくても、ＣＣＤカメラが撮影可能な文字であれば点字変換できる。【００６９】
上述の実施例では、第２ピンの左下と右上の２個が突出している状態は、ハンドヘルド点字変換装置１の位置が撮影画像に存在する文字列に対して斜め上方向にずれていることを示し、第２ピンの左上と右下の２個が突出している状態は、ハンドヘルド点字変換装置１の位置が撮影画像に存在する文字列に対して斜め下方向にずれていることを示すこととしているが、本発明はこれに限られず、逆でもよい。即ち、第２ピンの左下と右上の２個が突出している状態は、ハンドヘルド点字変換装置１を移動させる角度を斜め上方向に修正する指示を示し、第２ピンの左上と右下の２個が突出している状態は、ハンドヘルド点字変換装置１を移動させる角度を斜め下方向に修正する指示を示すこととしてもよい。
【産業上の利用可能性】
【００７０】
本発明は、点字を変換する各種の装置に利用することができる。
【符号の説明】
【００７１】
１  ハンドヘルド点字変換装置
１０  点字表示部
１１  ＣＰＵ
１５  ＣＣＤカメラ
１９  システムコントローラ
１０１  文字認識部
１０２  点字変換部
１０３  表示制御部
【図１】
2010029980.tif 000003
【図２】
2010029980.tif 000004
【図３】
2010029980.tif 000005
【図４】
2010029980.tif 000006
【図５】
2010029980.tif 000007
【図６】
2010029980.tif 000008
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
ユーザが片手で保持した状態で移動させることが可能なハンドヘルド点字変換装置であって、
前記装置を保持している手の少なくとも一本の指が接触可能な位置に配置され、点字を表示する点字表示部と、
前記装置周辺の所定範囲を撮影する撮影手段と、
前記撮影手段の撮影画像に存在する文字の有無を検知し、存在する文字を認識する文字認識手段と、
前記文字認識手段が認識した文字の一部又は全部を点字に変換する点字変換手段と、
前記点字変換手段が変換した点字を前記点字表示部に表示させる表示制御手段と、を備え、
前記点字表示部は、点字を構成しない複数の可動式の第２部材を有し、
前記表示制御手段は、前記第２部材の一部又は全部を動作させることにより、前記撮影画像に存在する文字又は文字列に対する前記ハンドヘルド点字変換装置の位置関係の適否を表示することを特徴とするハンドヘルド点字変換装置。
【請求項２】
前記ハンドヘルド点字変換装置は、印刷物の表面を移動可能であり、
前記撮影手段は、前記印刷物の表面の所定範囲を撮影し、
前記文字認識手段は、撮影された印刷物の表面に印刷されている文字の存在の有無を検知し、存在する文字を認識することを特徴とする請求項１に記載のハンドヘルド点字変換装置。
【請求項３】
前記撮影手段は、前記点字表示部の直下周辺に配置されていることを特徴とする請求項１に記載のハンドヘルド点字変換装置。
【請求項４】
前記点字表示部は、各々が１つの点字に対応する複数の単位点字表示部を有し、
前記単位点字表示部は、点字を構成する凸形状の位置に配置された複数の可動式の第１部材を有し、
前記表示制御手段は、前記第１部材を昇降させて凸形状を形成したりしなかったりすることにより点字を表示することを特徴する請求項１に記載のハンドヘルド点字変換装置。
【請求項５】
前記表示制御手段は、前記複数の第２部材の一部を動作させることにより、前記ハンドヘルド点字変換装置の位置が前記撮影画像に存在する文字又は文字列に対していずれの方向にずれているかを示すことを特徴とする請求項１に記載のハンドヘルド点字変換装置。
【請求項６】
前記表示制御手段は、前記複数の第２部材の一部又は全部を動作させることにより、前記撮影画像に存在する文字の有無を示すことを特徴とする請求項１に記載のハンドヘルド点字変換装置。
【請求項７】
前記表示制御手段は、前記複数の第２部材の一部又は全部を動作させることにより、前記撮影画像に存在する文字列が横書きであるか縦書きであるかを示すことを特徴とする請求項１に記載のハンドヘルド点字変換装置。
【請求項８】
前記点字表示部は、点字を構成しない可動式の第３部材を有し、
前記表示制御手段は、前記第３部材を動作させることにより、前記撮影画像に存在する文字の有無を示すことを特徴とする請求項１に記載のハンドヘルド点字変換装置。
【請求項９】
前記点字表示部は、点字を構成しない可動式の第４部材を有し、
前記表示制御手段は、前記第４部材を動作させることにより、前記撮影画像に存在する文字列が横書きであるか縦書きであるかを示すことを特徴とする請求項１に記載のハンドヘルド点字変換装置。
【請求項１０】
前記第２部材は、点字を構成する複数の可動式の第１部材に対し、形状、大きさ及び部材表面の触感のうちの少なくともいずれか一つが異なることを特徴とする請求項１に記載のハンドヘルド点字変換装置。
【請求項１１】
前記点字表示部は、各々が１つの点字に対応する複数の単位点字表示部を有し、
前記第２部材は、前記複数の単位点字表示部の外側に配置されていることを特徴とする請求項１に記載のハンドヘルド点字変換装置。
【請求項１２】
ユーザが片手で保持した状態で移動させることが可能であり、保持している手の少なくとも一本の指が接触可能な位置に配置されて点字を表示するとともに点字を構成しない複数の可動式の第２部材を有する点字表示部を備えるハンドヘルド点字変換装置において実行される点字変換方法であって、
前記装置周辺の所定範囲を撮影する撮影工程と、
前記撮影工程の撮影画像に存在する文字の有無を検知し、存在する文字を認識する文字認識工程と、
前記文字認識工程で認識した文字の一部又は全部を点字に変換する点字変換工程と、
前記点字変換工程で変換した点字を前記点字表示部に表示させる表示制御工程と、を有し、
前記表示制御工程は、前記第２部材の一部又は全部を動作させることにより、前記撮影画像に存在する文字又は文字列に対する前記ハンドヘルド点字変換装置の位置関係の適否を表示することを特徴とする点字変換方法。
【請求項１３】
ユーザが片手で保持した状態で移動させることが可能であり、保持している手の少なくとも一本の指が接触可能な位置に配置されて点字を表示するとともに点字を構成しない複数の可動式の第２部材を有する点字表示部を備えるハンドヘルド点字変換装置において実行される点字変換プログラムであって、
前記装置周辺の所定範囲を撮影する撮影手段、
前記撮影手段の撮影画像に存在する文字の有無を検知し、存在する文字を認識する文字認識手段、
前記文字認識手段が認識した文字の一部又は全部を点字に変換する点字変換手段、
前記点字変換手段が変換した点字を前記点字表示部に表示させる表示制御手段、として前記ハンドヘルド点字変換装置を機能させ、
前記表示制御手段は、前記第２部材の一部又は全部を動作させることにより、前記撮影画像に存在する文字又は文字列に対する前記ハンドヘルド点字変換装置の位置関係の適否を表示することを特徴とする点字変換プログラム。
【請求項１４】
請求項１３に記載の点字変換プログラムを記憶したことを特徴とする記憶媒体。
【手続補正２】
【補正対象書類名】明細書
【補正対象項目名】０００６
【補正方法】変更
【補正の内容】
【０００６】
請求項１に記載の発明は、ユーザが片手で保持した状態で移動させることが可能なハンドヘルド点字変換装置であって、前記装置を保持している手の少なくとも一本の指が接触可能な位置に配置され、点字を表示する点字表示部と、前記装置周辺の所定範囲を撮影する撮影手段と、前記撮影手段の撮影画像に存在する文字の有無を検知し、存在する文字を認識する文字認識手段と、前記文字認識手段が認識した文字の一部又は全部を点字に変換する点字変換手段と、前記点字変換手段が変換した点字を前記点字表示部に表示させる表示制御手段と、を備え、前記点字表示部は、点字を構成しない複数の可動式の第２部材を有し、前記表示制御手段は、前記第２部材の一部又は全部を動作させることにより、前記撮影画像に存在する文字又は文字列に対する前記ハンドヘルド点字変換装置の位置関係の適否を表示することを特徴とする。
【手続補正３】
【補正対象書類名】明細書
【補正対象項目名】０００７
【補正方法】変更
【補正の内容】
【０００７】
請求項１２に記載の発明は、  ユーザが片手で保持した状態で移動させることが可能であり、保持している手の少なくとも一本の指が接触可能な位置に配置されて点字を表示するとともに点字を構成しない複数の可動式の第２部材を有する点字表示部を備えるハンドヘルド点字変換装置において実行される点字変換方法であって、前記装置周辺の所定範囲を撮影する撮影工程と、前記撮影工程の撮影画像に存在する文字の有無を検知し、存在する文字を認識する文字認識工程と、前記文字認識工程で認識した文字の一部又は全部を点字に変換する点字変換工程と、前記点字変換工程で変換した点字を前記点字表示部に表示させる表示制御工程と、を有し、前記表示制御工程は、前記第２部材の一部又は全部を動作させることにより、前記撮影画像に存在する文字又は文字列に対する前記ハンドヘルド点字変換装置の位置関係の適否を表示することを特徴とする。
【手続補正４】
【補正対象書類名】明細書
【補正対象項目名】０００８
【補正方法】変更
【補正の内容】
【０００８】
請求項１３に記載の発明は、ユーザが片手で保持した状態で移動させることが可能であり、保持している手の少なくとも一本の指が接触可能な位置に配置されて点字を表示するとともに点字を構成しない複数の可動式の第２部材を有する点字表示部を備えるハンドヘルド点字変換装置において実行される点字変換プログラムであって、前記装置周辺の所定範囲を撮影する撮影手段、前記撮影手段の撮影画像に存在する文字の有無を検知し、存在する文字を認識する文字認識手段、前記文字認識手段が認識した文字の一部又は全部を点字に変換する点字変換手段、前記点字変換手段が変換した点字を前記点字表示部に表示させる表示制御手段、として前記ハンドヘルド点字変換装置を機能させ、前記表示制御手段は、前記第２部材の一部又は全部を動作させることにより、前記撮影画像に存在する文字又は文字列に対する前記ハンドヘルド点字変換装置の位置関係の適否を表示することを特徴とする。
【国際調査報告】
2010029980.tif 000009
2010029980.tif 000010
2010029980.tif 000011
2010029980.tif 000012